(57)【要約】【課題】従動スプロケットの端面の一部がケースに覆われた構造の動力伝達装置において、駆動スプロケットと従動スプロケットとにチェーンを架け渡す際の作業性を良好にする。【解決手段】動力伝達装置は、駆動スプロケットと従動スプロケットとにチェーンが架け渡されると共に従動スプロケットの端面の一部がケースに覆われたものであり、従動スプロケットの端面に、その回転軸に沿った方向に突出した突起を設ける。チェーンを組み付ける際には、作業者は、まず、突起が設けられた従動スプロケットを準備して駆動スプロケットと従動スプロケットとを組み付ける。続いて、駆動スプロケットの外歯と従動スプロケットの突起とにチェーンを架け渡し、チェーンを架け渡した突起が駆動スプロケットから離間するよう従動スプロケットを回転させる。そして、チェーンを従動スプロケットの突起からその外歯に架け替えて、駆動スプロケットを固定する。【選択図】図５
2019065926.tif 000002
【特許請求の範囲】
【請求項１】
回転部材に固定される駆動スプロケットと、前記駆動スプロケットと平行に配置された従動スプロケットと、前記駆動スプロケットと前記従動スプロケットとに架け渡されたチェーンと、開口部を有すると共に前記駆動スプロケットと前記従動スプロケットとを収容するケースと、を備える動力伝達装置であって、
前記駆動スプロケットは、軸方向から見て、端面が前記開口部から露出すると共に前記回転部材に固定されていない状態で径方向にガタを有し、
前記従動スプロケットは、軸方向から見て、端面の一部が前記開口部から露出すると共に前記端面の残りの部分が前記ケースに覆われ、
前記従動スプロケットの端面には、回転軸に沿った方向に突出し、前記駆動スプロケットと前記従動スプロケットとに前記チェーンを組み付ける際に一時的に引っ掛けることが可能な突起が設けられている、
動力伝達装置。
【請求項２】
請求項１に記載の動力伝達装置であって、
前記突起は、周方向に等角度間隔で複数設けられている、
動力伝達装置。
【請求項３】
請求項１または２に記載の動力伝達装置であって、
前記突起は、前記ケースの壁部と向かい合う位置にあるときの前記突起の先端と前記壁部との間の隙間が前記チェーンの幅よりも狭くなるように形成されている、
動力伝達装置。
【請求項４】
請求項１ないし３いずれか１項に記載の動力伝達装置であって、
前記ケースに収容され、前記従動スプロケットの回転力により駆動するポンプを備え、
前記突起は、前記従動スプロケットの前記ポンプとは反対側の端面に設けられる、
動力伝達装置。
【請求項５】
回転部材に固定される駆動スプロケットと、前記駆動スプロケットと平行に配置された従動スプロケットと、前記駆動スプロケットと前記従動スプロケットとに架け渡されたチェーンと、開口部を有すると共に前記駆動スプロケットと前記従動スプロケットとを収容するケースと、を備え、前記駆動スプロケットは、軸方向から見て、端面が前記開口部から露出すると共に前記回転部材に固定されていない状態で径方向にガタを有し、前記従動スプロケットは、軸方向から見て、端面の一部が前記開口部から露出すると共に前記端面の残りの部分が前記ケースに覆われた動力伝達装置における前記チェーンの組み付け方法であって、
端面に回転軸に沿った方向に突出した突起が設けられた前記従動スプロケットを準備し、前記駆動スプロケットと前記従動スプロケットとを組み付け、前記駆動スプロケットの外歯と前記従動スプロケットの突起とに前記チェーンを架け渡し、前記チェーンを架け渡した突起が前記駆動スプロケットから離間するように前記従動スプロケットを回転させ、前記チェーンを前記従動スプロケットの前記突起から該従動スプロケットの外歯に架け替え、前記駆動スプロケットを前記回転部材に固定する、
チェーンの組み付け方法。
【発明の詳細な説明】
【技術分野】
【０００１】
本明細書は、動力伝達装置およびチェーンの組み付け方法について開示する。
【背景技術】
【０００２】
従来、この種の動力伝達装置としては、回転軸の回転によって回転するドライブスプロケット（駆動スプロケット）と、ドライブスプロケットと平行に配置されたドリブンスプロケット（従動スプロケット）と、ドライブスプロケットとドリブンスプロケットとに架け渡されたチェーンと、ドリブンスプロケットの回転力により駆動するオイルポンプと、を備えるものが提案されている（例えば、特許文献１参照）。
【先行技術文献】
【特許文献】
【０００３】
【特許文献１】特開２００３−３４３７０２号公報
【発明の概要】
【発明が解決しようとする課題】
【０００４】
ところで、駆動スプロケットと従動スプロケットとが平行に配置され且つトランスミッションケースの開口部から駆動スプロケットと従動スプロケットとが露出した構造の動力伝達装置では、治具等を用いて駆動スプロケットと従動スプロケットとに予めチェーンを架け渡した状態でそれぞれ回転軸とオイルポンプのロータに組み付けることにより、チェーンを容易に組み付けることができる。しかし、従動スプロケットの端面の一部がトランスミッションケースに覆われた構造の動力伝達装置では、チェーンを予め架け渡した状態で駆動スプロケットと従動スプロケットとを組み付けることができないため、作業性が悪化するという問題があった。
【０００５】
本開示の動力伝達装置およびチェーンの組み付け方法は、従動スプロケットの端面の一部がケースに覆われたものにおいて、駆動スプロケットと従動スプロケットとにチェーンを架け渡す際の作業性を良好にすることを主目的とする。
【課題を解決するための手段】
【０００６】
本開示は、上述の主目的を達成するために以下の手段を採った。
【０００７】
本開示の動力伝達装置は、回転部材に固定される駆動スプロケットと、前記駆動スプロケットと平行に配置された従動スプロケットと、前記駆動スプロケットと前記従動スプロケットとに架け渡されたチェーンと、開口部を有すると共に前記駆動スプロケットと前記従動スプロケットとを収容するケースと、を備える動力伝達装置であって、前記駆動スプロケットは、軸方向から見て、端面が前記開口部から露出すると共に前記回転部材に固定されていない状態で径方向にガタを有し、前記従動スプロケットは、軸方向から見て、端面の一部が前記開口部から露出すると共に前記端面の残りの部分が前記ケースに覆われ、前記従動スプロケットの端面には、回転軸に沿った方向に突出し、前記駆動スプロケットと前記従動スプロケットとに前記チェーンを組み付ける際に一時的に引っ掛けることが可能な突起が設けられていることを要旨とする。
【０００８】
この本開示の動力伝達装置は、駆動スプロケットと従動スプロケットとにチェーンが架け渡されると共に従動スプロケットの端面の一部がケースに覆われたものであり、従動スプロケットの端面に、その回転軸に沿った方向に突出した突起を設ける。チェーンを組み付ける際には、作業者は、まず、突起が設けられた従動スプロケットを準備して駆動スプロケットと従動スプロケットとを組み付ける。続いて、駆動スプロケットの外歯と従動スプロケットの突起とにチェーンを架け渡し、チェーンを架け渡した突起が駆動スプロケットから離間するように従動スプロケットを回転させる。そして、チェーンを従動スプロケットの突起から駆動スプロケットの内径側ガタを利用して当該従動スプロケットの外歯に架け替えて、駆動スプロケットを固定する。これにより、従動スプロケットの端面の一部がケースに覆われたものにおいて、駆動スプロケットと従動スプロケットとにチェーンを架け渡す際の作業性を良好にすることができる。なお、突起は、従動スプロケットの端面の外径側に設けられるものとしてもよい。
【０００９】
本開示のチェーンの組み付け方法は、回転部材に固定される駆動スプロケットと、前記駆動スプロケットと平行に配置された従動スプロケットと、前記駆動スプロケットと前記従動スプロケットとに架け渡されたチェーンと、開口部を有すると共に前記駆動スプロケットと前記従動スプロケットとを収容するケースと、を備え、前記駆動スプロケットは、軸方向から見て、端面が前記開口部から露出すると共に前記回転部材に固定されていない状態で径方向にガタを有し、前記従動スプロケットは、軸方向から見て、端面の一部が前記開口部から露出すると共に前記端面の残りの部分が前記ケースに覆われた動力伝達装置における前記チェーンの組み付け方法であって、端面に回転軸に沿った方向に突出した突起が設けられた前記従動スプロケットを準備し、前記駆動スプロケットと前記従動スプロケットとを組み付け、前記駆動スプロケットの外歯と前記従動スプロケットの突起とに前記チェーンを架け渡し、前記チェーンを架け渡した突起が前記駆動スプロケットから離間するように前記従動スプロケットを回転させ、前記チェーンを前記従動スプロケットの前記突起から該従動スプロケットの外歯に架け替え、前記駆動スプロケットを前記回転部材に固定することを要旨とする。
【００１０】
この本開示のチェーンの組み付け方法では、作業者は、まず、突起が設けられた従動スプロケットを準備して駆動スプロケットと従動スプロケットとをそれぞれ組み付ける。続いて、駆動スプロケットの外歯と従動スプロケットの突起とにチェーンを架け渡し、チェーンを架け渡した突起が駆動スプロケットから離間するよう従動スプロケットを回転させる。そして、チェーンを従動スプロケットの突起から駆動スプロケットの内径側ガタを利用して当該従動スプロケットの外歯に架け替えて、駆動スプロケットを回転部材に固定する。これにより、従動スプロケットの端面の一部がケースに覆われたものにおいて、駆動スプロケットと従動スプロケットとにチェーンを架け渡す際の作業性を良好にすることができる。
【図面の簡単な説明】
【００１１】
【図１】本開示の実施形態に係る動力伝達装置１０を発進装置側から見た正面図である。
【図２】図１のＡ−Ａ断面におけるオイルポンプ３０周辺の構成を示す拡大断面図である。
【図３】発進装置が組み付けられた状態の拡大断面図である。
【図４】ドライブスプロケット３５とドリブンスプロケット３４とにチェーン３６が架け渡された状態を示す説明図である。
【図５】チェーン組み付け工程の一例を示す説明図である。
【図６】チェーン３６の組み付けの様子を示す説明図である。
【図７】チェーン３６の組み付けの様子を示す説明図である。
【発明を実施するための形態】
【００１２】
次に、図面を参照しながら、本開示を実施するための形態について説明する。
【００１３】
図１は、本開示の実施形態に係る動力伝達装置１０を発進装置側から見た正面図であり、図２は、図１のＡ−Ａ断面におけるオイルポンプ３０周辺の構成を示す拡大断面図であり、図３は、発進装置が組み付けられた状態の拡大断面図である。また、図４は、ドライブスプロケット３５とドリブンスプロケット３４とにチェーン３６が架け渡された状態を示す説明図である。動力伝達装置１０は、図示しないエンジン（内燃機関）を備える車両に搭載され、エンジンからの動力を図示しない左右の車輪（駆動輪）に伝達するものである。動力伝達装置１０は、トランスミッションケース１２と、図示しない発進装置（トルクコンバータ）と、オイルポンプ３０と、エンジンから入力軸２２に入力された動力を変速して駆動輪に図示しないデファレンシャルギヤを介して連結された図示しない出力軸に出力する自動変速機２０と、を備える。
【００１４】
発進装置は、図示しないが、ドライブプレートを介してエンジンのクランクシャフトに連結されるフロントカバーとフロントカバーに固定されるポンプインペラと自動変速機２０の入力軸２２に固定されるタービンランナとポンプインペラおよびタービンランナの内側に配置されるステータとを含むトルクコンバータや、フロントカバーと自動変速機２０の入力軸２２とを互いに接続すると共に両者の接続を解除するロックアップクラッチ等を備える。
【００１５】
自動変速機２０は、複数の遊星歯車や、ブレーキやクラッチを含む複数の摩擦係合要素等により構成される。摩擦係合要素は、ピストンや複数の摩擦係合プレート（摩擦プレートおよびセパレータプレート）、作動油が供給される係合油室等により構成される油圧サーボを有し、図示しない油圧制御装置により作動油が給排されることにより動作する。
【００１６】
オイルポンプ３０は、複数の外歯を有すると共にロータ３１と一体に回転する外歯ギヤ（ドライブギヤ）３２と、外歯ギヤ３２の外歯の総数よりも１つ多い複数の内歯を有すると共に外歯ギヤ３２に対して偏心して配置される内歯ギヤ（ドリブンギヤ）３３とを有する歯車ポンプとして構成される。オイルポンプ３０のロータ３１には、ドリブンスプロケット３４が取り付けられており、当該ドリブンスプロケット３４には、チェーン３６を介してドライブスプロケット３５が連結されている。ドライブスプロケット３５は、ポンプインペラの内周部に設けられて軸方向に延在するスリーブ（回転部材）１４に固定される。これにより、オイルポンプ３０は、ドリブンスプロケット３４、チェーン３６、ドライブスプロケット３５、スリーブ１４、ポンプインペラ、フロントカバーおよびドライブプレートを介してエンジンのクランクシャフトに連結され、当該エンジンからの動力により駆動される。そして、オイルポンプ３０は、トランスミッションケース１２に下部に取り付けられたオイルパンに貯留された油を吸引して上記油圧制御装置等へ圧送する。オイルポンプ３０は、ロータ３１が自動変速機２０の入力軸２２と平行な別軸上に位置するようにトランスミッションケース１２内の下部に配置される。
【００１７】
ドライブスプロケット３５は、自動変速機２０の入力軸２２と同軸上に配置されるように当該入力軸２２に挿通される環状の部材であり、その内周部には、図４に示すように、互いに対向するように内径側に延出された２つの凸部３５ａが形成されている。ドライブスプロケット３５は、２つの凸部３５ａが発進装置のスリーブ１４の外周面に軸方向に延在するように形成された図示しない２つの凹溝に嵌合されることで、当該スリーブ１４に固定される。したがって、ドライブスプロケット３５は、スリーブ１４に固定されていない状態では、回転軸に沿った方向と直交する方向（凸部３５ａの延出方向と直交する方向）にガタを有する。ドライブスプロケット３５は、図１に示すように、発進装置が組み付けられる前は、軸方向から見て、端面がトランスミッションケース１２の開口部１２ｏから露出している。
【００１８】
ドリブンスプロケット３４は、発進装置が組み付けられる前は、軸方向から見て、端面の一部が開口部１２ｏから露出すると共に端面の残りの部分がトランスミッションケース１２の当該端面に平行に延びる壁部１２ａによって覆われている。ドリブンスプロケット３４には、オイルポンプ３０とは反対側の端面における外周側（外径側）に、周方向に等角度間隔（１８０度間隔）で２つの突起３４ｐが設けられている。これにより、２つの突起３４ｐのうちの片方の突起３４ｐは、壁部１２ａに覆われ、他方の突起３４ｐは、壁部１２ａに覆われず、開口部１２ｏから露出する。２つの突起３４ｐは、ドリブンスプロケット３４の軸方向におけるオイルポンプ３０とは反対側に突出している。本実施形態では、図２に示すように、２つの突起３４ｐは、トランスミッションケース１２の壁部１２ａと対向する位置にあるときの当該突起３４ｐの先端と壁部１２ａの内面との間の隙間Ｌがチェーン３６の幅Ｗよりも狭くなるように形成されている。
【００１９】
次に、こうして構成された動力伝達装置１０におけるチェーン３６の組み付け方法について説明する。チェーン３６は、図１および図４に示すように、ドライブスプロケット３５の外歯とドリブンスプロケット３４の外歯とに架け渡されるように組み付けられる。図５は、チェーン組み付け工程の一例を示す説明図である。上述したように、チェーン３６が架け渡されるドリブンスプロケット３４は、端面の一部がトランスミッションケース１２の壁部１２ａに覆われている。このため、ドライブスプロケット３５の外歯とドリブンスプロケット３４の外歯とに予めチェーン３６を架け渡した状態で、ドライブスプロケット３５とドリブンスプロケット３４とをそれぞれ自動変速機２０の入力軸２２とオイルポンプ３０のロータ３１とに装着することができない。
【００２０】
チェーン組み付け工程では、まず、端面に２つの突起３４ｐが設けられたドリブンスプロケット３４を準備する（Ｓ１００）。突起３４ｐは、プレス加工等により形成することができる。次に、ドライブスプロケット３５とドリブンスプロケット３４とをそれぞれ自動変速機２０の入力軸２２とオイルポンプ３０のロータ３１に取り付ける（Ｓ１１０）。続いて、ドライブスプロケット３５の外歯とドリブンスプロケット３４の突起３４ｐとにチェーン３６を架け渡す（Ｓ１２０）。Ｓ１２０の工程は、図６に示すように、ドリブンスプロケット３４の２つの突起３４ｐのうち壁部１２ａから露出している突起３４ｐにチェーン３６を架け渡すことにより行なうことができる。続いて、チェーン３６を架け渡した突起３４ｐがドライブスプロケット３５から離間するようにドリブンスプロケット３４を回転させる（Ｓ１３０）。これにより、図７に示すように、チェーン３６の突起３４ｐに引っ掛けられた部分は、当該突起３４ｐの周方向の移動に伴ってトランスミッションケース１２の壁部１２ａ内に入り込み、ドリブンスプロケット３４の外歯における架け渡し部分の近くまで引き寄せられる。上述したように、突起３４ｐの先端と対向する壁部１２ａの内面との隙間Ｌはチェーン３６の幅Ｗよりも狭くなっているから、突起３４ｐに引っ掛けられたチェーン３６が壁部１２ａ側へ脱落することはない。そして、チェーン３６を、ドリブンスプロケット３４の突起３４ｐから当該ドリブンスプロケット３４の外歯に架け替える（Ｓ１４０）。上述したように、ドライブスプロケット３５はその回転軸に沿った方向と直交する方向（径方向）にガタを有しているから、作業者は、トランスミッションケース１２の下部に形成された開口（上述したオイルパンが取り付けられる部分）から手を挿入しチェーン３６を把持して引き寄せることで、チェーン３６を、ドリブンスプロケット３４の突起３４ｐから当該ドリブンスプロケット３４の外歯における架け渡し部分へ容易に架け替えることができる。こうして、チェーン３６をドライブスプロケット３５の外歯とドリブンスプロケット３４の外歯とに架け渡すと、発進装置のスリーブ１４をドライブスプロケット３５に挿入することによりドライブスプロケット３５を固定して（Ｓ１５０）、チェーン３６の組み付け工程が完了する。
【００２１】
以上説明した実施形態の動力伝達装置１０は、ドライブスプロケット３５とドリブンスプロケット３４とにチェーン３６が架け渡されると共にドリブンスプロケット３４の端面の一部がトランスミッションケース１２の壁部１２ａに覆われたものにおいて、ドリブンスプロケット３４の端面の外径側に、その回転軸に沿った方向に突出した突起３４ａを設ける。チェーン３６を組み付ける際には、作業者は、まず、突起３４ｐが設けられたドリブンスプロケット３４を準備してドライブスプロケット３５とドリブンスプロケット３４とを組み付ける。続いて、ドライブスプロケット３５の外歯とドリブンスプロケット３４の突起３４ｐとにチェーン３６を架け渡し、チェーン３６を架け渡した突起３４ｐがドライブスプロケット３５から離間するようドリブンスプロケット３４を回転させる。そして、チェーン３６をドリブンスプロケット３４の突起３４ｐから当該ドリブンスプロケット３４の外歯に架け替えて、ドライブスプロケット３５をスリーブ１４に固定する。これにより、ドリブンスプロケット３４の端面の一部がトランスミッションケース１２の壁部１２ａに覆われた構造の動力伝達装置１０において、ドライブスプロケット３５とドリブンスプロケット３４とにチェーン３６を架け渡す際の作業性を良好にすることができる。
【００２２】
上述した実施形態では、ドリブンスプロケット３４の端面に周方向に等角度間隔（１８０度間隔）で２つの突起３４ｐを設けるものとしたが、これに限定されるものではなく、チェーン３６を引っ掛けていない突起３４ｐがドリブンスプロケット３４の回転に支障をきたさない範囲で如何なる数の突起を設けるものとしてもよい。例えば、ドリブンスプロケット３４に設ける突起の径方向位置に応じて、周方向に等角度間隔（１２０度間隔）で３つの突起を設けたり、周方向に等角度間隔（９０度間隔）で４つの突起を設けたりしてもよい。
【００２３】
上述した実施形態では、突起３４ｐの先端と対向するトランスミッションケース１２の壁部１２ａの内面との隙間Ｌがチェーン３６の幅Ｗよりも狭くなるように突起３４ｐを形成したが、必ずしも、上記隙間Ｌをチェーン３６の幅Ｗよりも狭くする必要はない。
【００２４】
以上説明したように、本開示の動力伝達装置は、回転部材（１４）に固定される駆動スプロケット（３５）と、前記駆動スプロケット（３５）と平行に配置された従動スプロケット（３４）と、前記駆動スプロケット（３５）と前記従動スプロケット（３４）とに架け渡されたチェーン（３６）と、開口部（１２ｏ）を有すると共に前記駆動スプロケット（３５）と前記従動スプロケット（３４）とを収容するケース（１２）と、を備える動力伝達装置（１０）であって、前記駆動スプロケット（３４）は、軸方向から見て、端面が前記開口部（１２ｏ）から露出すると共に前記回転部材（１４）に固定されていない状態で径方向にガタを有し、前記従動スプロケット（３４）は、軸方向から見て、端面の一部が前記開口部（１２ｏ）から露出すると共に前記端面の残りの部分が前記ケース（１２）に覆われ、前記従動スプロケット（３４）の端面には、回転軸に沿った方向に突出し、前記駆動スプロケット（３５）と前記従動スプロケット（３４）とに前記チェーン（３６）を組み付ける際に一時的に引っ掛けることが可能な突起（３４ｐ）が設けられていることを要旨とする。
【００２５】
この本開示の動力伝達装置は、駆動スプロケットと従動スプロケットとにチェーンが架け渡されると共に従動スプロケットの端面の一部がケースに覆われたものであり、従動スプロケットの端面に、その回転軸に沿った方向に突出した突起を設ける。チェーンを組み付ける際には、作業者は、まず、突起が設けられた従動スプロケットを準備して駆動スプロケットと従動スプロケットとを組み付ける。続いて、駆動スプロケットの外歯と従動スプロケットの突起とにチェーンを架け渡し、チェーンを架け渡した突起が駆動スプロケットから離間するよう従動スプロケットを回転させる。そして、チェーンを従動スプロケットの突起から駆動スプロケットの内径側ガタを利用して当該従動スプロケットの外歯に架け替えて、駆動スプロケットを固定する。これにより、従動スプロケットの端面の一部がケースに覆われた構造の動力伝達装置において、駆動スプロケットと従動スプロケットとにチェーンを架け渡す際の作業性を良好にすることができる。なお、突起は、従動スプロケットの端面の外径側に設けられるものとしてもよい。
【００２６】
こうした動力伝達装置において、前記突起（３４ｐ）は、周方向に等角度間隔で複数設けられているものとしてもよい。こうすれば、作業者は、従動スプロケットの複数の突起のうちケースから露出した突起にチェーンを引っ掛ければよく、作業性を更に良好にすることができる。また、複数の突起は従動スプロケットの周方向に等角度間隔で設けられるため、従動スプロケットの重心と回転中心とにズレが生じないようにして、従動スプロケットの回転を安定させることができる。
【００２７】
また、動力伝達装置において、前記突起（３４ｐ）は、前記ケース（１２）の壁部（１２ａ）と向かい合う位置にあるときの前記突起（３４ｐ）の先端と前記壁部（１２ａ）との間の隙間が前記チェーン（３６）の幅よりも狭くなるように形成されているものとしてもよい。こうすれば、チェーンを従動スプロケットの突起から外歯に架け替える際に、チェーンが脱落するのを抑制することができる。
【００２８】
さらに、動力伝達装置において、前記ケース（１２）に収容され、前記従動スプロケット（３４）の回転力により駆動するポンプ（３０）を備え、前記突起（３４ｐ）は、前記従動スプロケット（３４）の前記ポンプ（３０）とは反対側の端面に設けられるものとしてもよい。
【００２９】
本開示のチェーンの組み付け方法であって、回転部材（１４）に固定される駆動スプロケット（３５）と、前記駆動スプロケット（３５）と平行に配置された従動スプロケット（３４）と、前記駆動スプロケット（３５）と前記従動スプロケット（３４）とに架け渡されたチェーン（３６）と、開口部（１２ｏ）を有すると共に前記駆動スプロケット（３５）と前記従動スプロケット（３４）とを収容するケース（１２）と、を備え、前記駆動スプロケット（３５）は、軸方向から見て、端面が前記開口部（１２ｏ）から露出すると共に前記回転部材（１４）に固定されていない状態で径方向にガタを有し、前記従動スプロケット（３４）は、軸方向から見て、端面の一部が前記開口部（１２ｏ）から露出すると共に前記端面の残りの部分が前記ケース（１２）に覆われた動力伝達装置（１０）における前記チェーン（３６）の組み付け方法であって、端面に回転軸に沿った方向に突出した突起（３４ｐ）が設けられた前記従動スプロケット（３４）を準備し、前記駆動スプロケット（３５）と前記従動スプロケット（３４）とを組み付け、前記駆動スプロケット（３５）の外歯と前記従動スプロケット（３４）の突起（３４ｐ）とに前記チェーン（３６）を架け渡し、前記チェーン（３６）を架け渡した突起（３４ｐ）が前記駆動スプロケット（３５）から離間するように前記従動スプロケット（３４）を回転させ、前記チェーン（３６）を前記従動スプロケット（３４）の前記突起（３４ｐ）から該従動スプロケットの外歯に架け替え、前記駆動スプロケット（３５）を前記回転部材（１４）に固定することを要旨とする。
【００３０】
この本開示のチェーンの組み付け方法では、作業者は、まず、突起が設けられた従動スプロケットを準備して駆動スプロケットと従動スプロケットとをそれぞれ組み付ける。続いて、駆動スプロケットの外歯と従動スプロケットの突起とにチェーンを架け渡し、チェーンを架け渡した突起が駆動スプロケットから離間するよう従動スプロケットを回転させる。そして、チェーンを従動スプロケットの突起から駆動スプロケットの内径側ガタを利用して当該従動スプロケットの外歯に架け替えて、駆動スプロケットを回転部材に固定する。これにより、従動スプロケットの端面の一部がケースに覆われたものにおいて、駆動スプロケットと従動スプロケットとにチェーンを架け渡す際の作業性を良好にすることができる。
【００３１】
以上、本開示の実施の形態について説明したが、本開示はこうした実施形態に何等限定されるものではなく、本開示の要旨を逸脱しない範囲内において、種々なる形態で実施し得ることは勿論である。
【産業上の利用可能性】
【００３２】
本開示は、動力伝達装置の製造産業に利用可能である。
【符号の説明】
【００３３】
１０  動力伝達装置、１２  トランスミッションケース、１２ａ  壁部、１２ｏ  開口部、１４  スリーブ、２０  自動変速機、２２  入力軸、３０  オイルポンプ、３１  ロータ、３２  外歯ギヤ、３３  内歯ギヤ、３４  ドリブンスプロケット、３４ｐ  突起、３５  ドライブスプロケット、３５ａ  凸部、３６  チェーン。
【図１】
2019065926.tif 000003
【図２】
2019065926.tif 000004
【図３】
2019065926.tif 000005
【図４】
2019065926.tif 000006
【図５】
2019065926.tif 000007
【図６】
2019065926.tif 000008
【図７】
2019065926.tif 000009